(57)【特許請求の範囲】
【請求項１】
フラットスラブ（Ｓ１）の下面側に小梁（Ｓ２）が所定間隔で一体に形成されるＴ型梁スラブの構築方法であって、壁紙などの内装材を直張り可能な耐火性耐力面材（３）と断熱パネル（４）が積層された型枠兼用内装下地ボード（１）をＴ型梁スラブの下面高さに敷き詰め、前記小梁（Ｓ２）間に充填される断熱埋込材（２）を前記下地ボード（１）に載置し、当該断熱埋込材（２）に貫設された締付ロッド（１４）の上下両端を下地ボード（１）に固定されたベース（１２）と断熱埋込材（２）の上面に置かれる配筋用スペーサ（１３）に係合させることにより断熱埋込材（２）を下地ボード（１）に固定し、配筋した後、前記断熱埋込材（２）が埋没して所定厚さのフラットスラブ（Ｓ１）が形成されるようにコンクリートを打設することを特徴とするＴ型梁スラブの構築方法。
【請求項２】
前記断熱埋込材（２）が、その底面側を開口した複数の空間（５…）に仕切られ、少なくとも一の空間（５ａ）を形成する側壁部（６）に反響音を弱音化させる凹凸面（７）が形成されてなる請求項１記載のＴ型梁スラブの構築方法。
【請求項３】
前記断熱埋込材（２）に、少なくとも一の空間（５ｂ）の上面部分を割り取って当該空間（５ｂ）を上下に貫通させる脆弱部（１０）が形成されてなる請求項２記載のＴ型梁スラブの構築方法。
【請求項４】
前記配筋用スペーサ（１３）に、引張抵抗を増大させるコンクリートアンカー（１５）が形成されてなる請求項１乃至３いずれか一項記載のＴ型梁スラブの構築方法。
【発明の詳細な説明】
【０００１】
【発明の属する技術分野】
本発明は、フラットスラブの下面側に小梁が所定間隔で並行に形成されるＴ型梁スラブの構築方法に関する。
【０００２】
【従来の技術】
マンションなどの天井面及び床面となるスラブを構築する場合、まず、その下面に型枠となるベニヤ板などせき板を敷き詰めて型枠の組立てを行い、次いで、当該せき板の上にコンクリートを打設し、硬化した後にせき板を取り外して型枠バラシを行い、最後に、天井面となる下向面に内装仕上げを行なうのが一般的である。
【０００３】
ところで最近では、スラブのワイドスパン化が図られており、厚さが均等なフラットスラブでは強度不足となるところから、スラブ断面を工夫してスラブを強化したＴ型梁スラブが用いられている。
【０００４】
このＴ型梁スラブは、フラットスラブの下面側に、小梁となる突条のリブを所定間隔で一体形成したもので、大梁間や耐力壁間に所定間隔で架設される小梁でフラットスラブを支持したものと等しい強度を有する。
【０００５】
【発明が解決しようとする課題】
しかしながら、このようなＴ型梁スラブは天井面側に多数の突条を形成しなければならないため、その型枠の組立て及び支持がフラットスラブに比して非常に面倒で工期・工費が嵩むだけでなく、コンクリート養生後は、天井面に小梁の凹凸が形成されるために見栄えが悪く、内装工事も面倒でコストが嵩むという問題があった。
【０００６】
さらに最近では、次世代省エネルギー基準が告示されており、コンクリートの熱還流を遮断して住宅の高断熱化や壁内結露防止を図るために、型枠を外した後、天井面に内壁面に断熱材と下地用のボードを２層にして張付けたり、断熱材で形成された下地用のボードを貼り付けなければならず、建築資材が増え、工期が延び、コストが嵩むという問題があった。
【０００７】
そこで本発明は、Ｔ型梁スラブを構築する際に、天井面側をフラットに形成し、型枠バラシ、内装用下地ボード及び断熱材の施工の面倒を解消し、ひいては、建築資材の削減、工期の短縮、建築コストの低減を図ることを技術的課題としている。
【０００８】
【課題を解決するための手段】
この課題を解決するために、本発明は、フラットスラブの下面側に小梁が所定間隔で一体に形成されるＴ型梁スラブの構築方法であって、壁紙などの内装材を直張り可能な耐火性耐力面材と断熱パネルが積層された型枠兼用内装下地ボードをＴ型梁スラブの下面高さに敷き詰め、前記小梁間に充填される断熱埋込材を前記下地ボードに載置し、当該断熱埋込材に貫設された締付ロッドの上下両端を下地ボードに固定されたベースと断熱埋込材の上面に置かれる配筋用スペーサに係合させることにより断熱埋込材を下地ボードに固定し、配筋した後、前記断熱埋込材が埋没して所定厚さのフラットスラブが形成されるようにコンクリートを打設することを特徴とする。
【０００９】
本発明によれば、小梁間に充填される難燃性又は不燃性の断熱埋込材が、これに貫設される締付ロッドの上下両端を、下地ボードに固定されたベースと断熱埋込材の上面に置かれる配筋用スペーサに連結することにより、型枠兼用内装下地ボードに密着固定され、断熱埋込材のない部分が小梁形成用の凹溝となる。
したがって、小梁を形成するために型枠の複雑な組立を行なうことなく、Ｔ型梁スラブを構築することができる。
【００１０】
次いで、コンクリートを打設すれば、凹溝にコンクリートが流れ込んで小梁が形成され、さらに、断熱埋込材がコンクリート内に埋没するとその上に所定厚さのフラットスラブが形成される。
このとき、断熱埋込材は締付ロッドを介して型枠兼用内装下地ボードに強固に固定されると共に、下地ボードは締付ロッドを介してフラットスラブから吊り下げられるので、Ｔ型梁スラブの下面に張り付けられた下地ボードに外力が作用しても脱落しにくい。
【００１１】
この型枠として本発明では、壁紙などの内装材を直張り可能な耐火性耐力面材と断熱パネルを積層した型枠兼用内装下地ボードを用いているので、コンクリート硬化後に、型枠として使用した型枠兼用内装下地ボードを型枠バラシする必要がなく、そのまま内装工事を行なうことができる。
すなわち、型枠の撤去作業と内装下地処理が一切不要となるので、工程数が減少されて工期が短縮され、建築資材の使用量が削減される。
【００１２】
しかも、フラットスラブの下面に突出される小梁間に断熱埋込材が充填され、内装下地ボードがＴ型梁スラブの下面を平らに覆うので、天井面に小梁の凹凸が突出形成されることがない。
【００１３】
また、型枠兼用内装下地ボードのコンクリート面側は断熱パネルが張られて、コンクリートの下面全面が覆われるので、熱還流が遮断され、屋内の暖気及び涼気がコンクリートを介して外部に逃げることもなく、ヒートブリッジの発生が確実に防止される。
【００１４】
さらに、型枠兼用内装下地ボードの耐火性耐力面材に固定したベースと、断熱埋込材の上に載せた配筋用スペーサを締付ロッドの両端に係合させれば、型枠組立時は断熱埋込材が耐火性耐力面材に固定され、コンクリート硬化後は配筋用スペーサがコンクリート内に埋まるので型枠兼用内装下地ボードをＴ型梁スラブ下面にしっかりと吊下固定する。
【００１５】
【発明の実施の形態】
以下、本発明の実施の形態を図面に基づいて具体的に説明する。
図１は本発明方法により構築したＴ型梁スラブを示す断面図、図２はこれに使用する断熱埋込材の説明図である。
【００１６】
本例は、型枠兼用内装下地ボード１に断熱埋込材２を所定間隔で配列した後、その上にコンクリートを打設することにより、フラットスラブＳ１の下面側に小梁Ｓ２が所定間隔で一体に形成されたＴ型梁スラブＳを構築するものである。
【００１７】
型枠兼用内装下地ボード１は、壁紙などの内装材を直張り可能な耐火性耐力面材３と難燃性又は不燃性の断熱パネル４が積層されて一体に形成されている。
耐火性耐力面材３としては、無機発泡体及び繊維状物を含む主剤を結合材で祖固めた心材板３Ａの表裏両面に、鉱物繊維を含む主剤を結合材で固めた繊維補強層３Ｂ、３Ｂを一体成形して三層構造に形成した厚さ６〜１２ｍｍ程度のダイライト（大建工業株式会社の商品名）を用いた。
【００１８】
この耐火性耐力面材３は、無機質原料が繊維状になって絡み合った多孔質体であり、特類の構造用合板と同等の強度を有し、防腐、防蟻性、防耐火性、通気性に優れ、吸湿による膨張も極めて少ないという建材に適した特性を有している。
【００１９】
断熱パネル４としては、熱伝導率が低く、且つ、耐火性能に優れたものが好ましく、本例では、熱伝導率が0.017kcal/m・h・℃（0.020Ｗ／ｍ・Ｋ）のフェノール発泡樹脂である厚さ５０〜７０ｍｍのネオマフォーム（旭化成建材株式会社の商品名）やビーズ発泡スチレンボードを用いた。
【００２０】
図２（ａ）及び（ｂ）は断熱埋込材２の底面図及び断面図を示す。
断熱埋込材２は、断熱パネル４と同様、ネオマフォーム（旭化成建材株式会社の商品名）やビーズ発泡スチレンボードで形成され、その底面側を開口した複数の空間５…に仕切られており、少なくとも一の空間５ａを形成する側壁部６に反響音を弱音化させる連続三角波形状の凹凸面７が形成されてなる。
【００２１】
また、長手方向に延びる中心線Ｘに直交する中心線Ｙを境に、現場で簡単に半割りして長さ調節できるように割溝８が形成されると共に、中心線Ｘ上に後述する締付ロッド１４を挿通する貫通孔９、９が形成されている。
【００２２】
さらに、断熱埋込材２の上面には、前記貫通孔９に隣接する空間５ｂ内に必要に応じてコンクリートを流し込むことができるように、当該空間５ｂの上面部分を割り取る凹溝（脆弱部）１０が形成されている。
さらにまた、比較的面積の広い空間５には、コンクリート打設時にその重さで埋込材２の上面がつぶれないように脚５ｃが形成されている。
【００２３】
１１は埋込材固定具であって、断熱埋込材２の貫通孔９の位置に対応して型枠兼用内装下地ボード１の耐火性耐力面材２に接着剤やビスなどで固定されるベース１２と、断熱埋込材２の上に載せられる配筋用スペーサ１３と、断熱埋込材２の貫通孔９に挿通されて上下両端を前記ベース１２及びスペーサ１３に係合することにより断熱埋込材２を固定する締付ロッド１４からなる。
【００２４】
そして、ベース１２及び配筋用スペーサ１３には、締付ロッド１４の上下端部１４ｕ、１４ｄと係合する係合部１２ａ、１３ａが夫々形成され、配筋用スペーサ１３にはコンクリートから抜け落ちないように引張抵抗を増大させるフランジ状のアンカー１５が形成されている。
【００２５】
したがって、型枠兼用内装下地ボード１の上に断熱埋込材２を置き、貫通孔９に締付ロッド１４を挿し入れ、その下端部をベース１２に係合させた状態で、その上端部を配筋用スペーサ１３に係合させると、断熱埋込材２はその上面から配筋用スペーサ１３で押え付けられて下地ボード１に密着される。
【００２６】
次に、これら型枠兼用内装下地ボード１及び断熱埋込材２を用いたＴ型梁スラブ構築方法について説明する。
まず、断熱パネル４側を上向きにして型枠兼用内装下地ボード１をＴ型梁スラブＳの下面高さに平らに敷き詰め、その上に断熱埋込材２を幅方向に所定間隔離して長手方向に連続して配列した後、貫通孔９に締付ロッド１４を挿通して、その下端部１４ｄをベース１２の係合部１２ａに挿し込んで係合させ、その上端部１４ｕに配筋用スペーサ９を装着する。
【００２７】
これにより、型枠兼用内装下地ボード１上には、断熱埋込材２の長手方向に連続する突条が形成され、隣接する断熱埋込材２の列の間に小梁Ｓ２の型となる凹溝が形成されることになる。
次いで、所定の強度が得られるよう予め設計した通りに配筋してコンクリートを打設すると、断熱埋込材２の列の間に形成された凹溝内にコンクリートが流れ込んで小梁Ｓ２…が形成され、さらにコンクリートを打設すると、断熱埋込材２が埋没して所要厚さのフラットスラブＳ１が形成され、フラットスラブＳ１と小梁Ｓ２…が一体成形された鉄筋コンクリート製のＴ型梁スラブＳが構築される。
【００２８】
このとき、断熱埋込材２は埋込材固定具１１により型枠兼用内装下地ボード１に強固に固定されると共に、下地ボード１は埋込材固定具１１を介してフラットスラブＳ１から吊り下げられるので、Ｔ型梁スラブＳの下面に張り付けられた下地ボード１に外力が作用しても脱落しにくい。
すなわち、埋込材固定具１１は、断熱埋込材２を型枠兼用内装用下地ボード１に固定すると共に、締付ロッド１４の上端に係合される配筋用スペーサ１３にはアンカー１５が形成されているので内装用下地ボード１を吊下固定する機能を有する。
【００２９】
型枠兼用内装下地ボード１は、壁紙などの内装材が直張り可能であるので、コンクリート硬化後に、型枠として使用した型枠兼用内装下地ボード１を型枠バラシすることなく、そのまま内装工事を行なうことができる。
すなわち、型枠の撤去作業と内装下地処理が一切不要となるので、工程数が減少されて工期が短縮され、建築資材の使用量が削減される。
【００３０】
しかも、フラットスラブＳ１の下面に突出される小梁Ｓ２間に断熱埋込材２が充填され、内装下地ボード１がＴ型梁スラブＳの下面を平らに覆うので、天井面に小梁Ｓ２の凹凸が突出形成されることがなく、見栄えも良い。
【００３１】
また、型枠兼用内装下地ボード１のコンクリート面側には断熱パネル４が張られて、Ｔ型梁スラブＳの下面全面が覆われるので、熱還流が遮断され、屋内の暖気及び涼気がコンクリートを介して外部に逃げることもなく、ヒートブリッジの発生が確実に防止される。
【００３２】
【発明の効果】
以上述べたように、本発明によれば、Ｔ型梁スラブを構築する際に、天井面側をフラットに形成することができ、型枠バラシ、内装用下地ボード及び断熱材の施工の面倒が解消され、ひいては、建築資材の削減、工期の短縮、建築コストの低減を図ることができるという大変優れた効果を奏する。
【図面の簡単な説明】
【図１】本発明方法で構築したＴ型梁スラブの断面図。
【図２】本発明方法に使用する断熱埋込剤を示す図。
【符号の説明】
１………型枠兼用内装下地ボード
２………断熱埋込材
Ｓ１………フラットスラブ
Ｓ２………小梁
Ｓ………Ｔ型梁スラブ
３………耐火性耐力面材
４………断熱パネル
５、５ａ、５ｂ………空間
６………側壁部
７………凹凸面
９………貫通孔
１０………凹溝（脆弱部）
１１………埋込材固定具
１２………ベース
１３………配筋用スペーサ
１４………締付ロッド
１４ｕ、１４ｄ………上下端部
１２ｂ、１３ｂ………係合部
１５………アンカー
【図１】
0004545967.tif 000002
【図２】
0004545967.tif 000003